(57)【要約】血液透析用医療ライン用の圧力ポッド（１）は、中間可撓性膜（６）を備える中空本体（２，３）によって構成され、中間可撓性膜（６）はガスチャンバ（７）と、血液透析用医療ラインへの結合のため入口及び出口管状継手（１０，１１）を備える液体チャンバ（８）と、を区切る。雌ルアーロックコネクタ（１２）は、比較的硬質の熱可塑性材料で作られた外側管状体（１３）と、比較的軟質な熱可塑性材料で作られた内側管状体（１４）とを備え、外側管状体（１３）は回転可能であって軸方向には固定され、少なくとも１つの管状継手（１１）に結合されている。管状継手（１１）は、雌コネクタ（１２）の内側管状体と外側管状体（１３，１４）との間に形成された環状空洞（２２）内で係合している。【選択図】図３
2019510539.tif 000002
【特許請求の範囲】
【請求項１】
血液透析用医療ラインに使用できる圧力ポッド（１）であって、圧力ポッド（１）は、中間可撓性膜（６）によって互いに気密な態様で分離された、ガスチャンバ（７）と液体チャンバ（８）とをそれぞれ画定する、前記液体チャンバ（８）は、血液透析ラインに接続する入口及び出口管状継手（１０，１１）を備え、少なくとも１つの前記管状継手（１１）は、雌ルアーロックコネクタ（１２）に結合されており、前記雌コネクタ（１２）は、比較的硬質の熱可塑性材料で作られた外側管状体（１３）と、比較的軟質な熱可塑性材料で作られた内側管状体（１４）とが、前記外側管状体（１３）内の同軸上で係合し、前記外側管状体（１３）は、前記内側管状体（１４）に対して回転可能であり、軸方向には固定され、前記内側及び外側管状体（１３，１４）における基端側軸部（２０，２１）間で環状空洞（２２）が画定されており、前記少なくとも１つの管状継手（１１）が前記環状空洞（２２）と係合し、前記雌コネクタ（１２）の前記内側管状体（１４）に固定されていることを特徴とする、圧力ポッド。
【請求項２】
前記少なくとも１つの管状継手（１１）が正面に当接している前記内側管状体（１４）の前記基端側軸部（２０）の外側環状閉止部（２３）によって前記環状空洞（２２）は、放射状に画定されることを特徴とする、請求項１に記載の圧力ポッド。
【請求項３】
前記雌コネクタ（１２）に着脱可能に取り付けられた雄ルアー保護キャップ（２４）を備えることを特徴とする、請求項１又は２に記載の圧力ポッド。
【請求項４】
前記外側管状体（１３）の前記基端側軸部（２１）には半径方向に突出する操作フィン（１６）が設けられていることを特徴とする、いずれかの請求項に記載の圧力ポッド。
【発明の詳細な説明】
【技術分野】
【０００１】
本発明は、中間可撓性膜によって互いに気密な態様で分離されているガスチャンバと液体チャンバとをそれぞれ画定する上部ハーフシェル及び下部ハーフシェルによって構成される中空本体を備えるタイプである血液透析用医療ラインのための圧力ポッド（pressure pods）に関する。液体チャンバは、血液透析ラインに接続するための入口及び出口管状継手を有し、これらの管状継手の少なくとも１つ、典型的には透析機器に接続されるよう意図された出口継手は、センサをダクトに接続するための雌ルアーロック（luer-lock）コネクタに結合される。
【発明の概要】
【発明が解決しようとする課題】
【０００２】
上記で規定されたタイプの圧力センサは、従来「圧力ポッド」と呼ばれ、例えば米国特許出願公開第２００７／１７９４２２号及び国際公開第２０１５／０９９９３２号で知られており、これらは医療ラインの接続に関する技術的課題を示す。特に、液体チャンバの出口継手は関連するダクトに気密な態様で接続されることが重要である一方、ねじれのリスクを回避し、結果として血流の詰まりのリスクを回避する目的で、ポッドと、通常は可撓性のあるダクトとの間で相対的な角度運動が可能となるように、このような接続が回転可能であることも好ましい。
【０００３】
米国特許第６１５２９１３号には、雄ルアーロックコネクタが記載されており、当該雄ルアーロックコネクタの、内側にねじが設けられた外側要素は内側要素上で回転し、硬質のプラスチック材料で作られている。欧州特許第０７３６３０６号及び欧州特許第１２３６４８１号はどちらも出願人が同じであり、また、回転可能な外側要素及び内側要素を有し、剛性材料で作られた雄ルアーロックコネクタについて記載している。
【課題を解決するための手段】
【０００４】
本発明の目的は、上述した技術的課題に対する安全で機能的な解決策を提供することであり、上述の圧力ポッドにおける液体チャンバの少なくとも１つの管状継手の雌コネクタは、比較的硬質の熱可塑性材料で作られた外側管状体と、比較的軟質な熱可塑性材料で作られた内側管状体とを備え、内側管状体が同軸上で外側管状体内に挿入されることによって、この目的は達成される。外側管状体は、内側管状体に対して回転可能であり、軸方向には固定されている。上述した少なくとも１つの管状継手における、環状空洞は、内側及び外側管状体のそれぞれの、基端側の軸部分間で画定され、上記管状継手は比較的柔軟な内側管状体に固定されて係合している。
【０００５】
この解決案によると、比較的軟質な材料で作られる内側管状体上への管状継手の固定による完全に気密な態様と、回転可能であるが雌コネクタの外側管状体により、同時に撓みに対して強いことのいずれにおいても圧力ポッドの血液透析ラインへの接続を有利に得ることができる。
【０００６】
好都合には、上述した環状空洞は、内側管状体の基端側軸部のカラー（collar）又は外側環状閉止部によって半径方向に画定され、外側環状閉止部に対して、少なくとも１つの管状継手が正面に当接する。
【０００７】
この特徴は、雌コネクタと管状継手との間の機械的組立を容易にし、更に、完全な相互の気密封止に寄与する。
【０００８】
本発明の更なる特徴によれば、ポッドは、気密かつ着脱可能な態様で雌コネクタに取り付けられる、雄ルアー保護キャップを更に備える。
【図面の簡単な説明】
【０００９】
本発明は、添付の図面を参照して、単に限定しない例として詳細に説明される。
【００１０】
【図１】本発明による血液透析用医療ラインのための圧力ポッドの模式的な斜視図。
【図２】圧力ポッドの拡大した正面図。
【図３】図２のＩＩＩ−ＩＩＩ線に沿った部分的な長手方向断面図。
【図４】図３のＩＶ−ＩＶ線に沿った長手方向断面図。
【図５】図４の拡大した詳細図。
【発明を実施するための形態】
【００１１】
図を参照すると、本発明による血液透析用医療ラインのための圧力ポッドの全体は１で示されている。
【００１２】
圧力ポッド１は、成形プラスチック材料で作られた中空本体からなり、上部ハーフシェル２と下部ハーフシェル３とによって形成されている。上部ハーフシェル２及び下部ハーフシェル３の外周縁は、中間可撓性膜６を介在させることによって、符号４において互いに気密に接続されている。
【００１３】
膜６は、上部ハーフシェル２及び下部ハーフシェル３によって互いに気密な態様で分けられるガスチャンバ７と液体チャンバ８とを画定する。
【００１４】
上部ハーフシェル２は、ガスチャンバ７を公知の圧力測定装置に接続するための管状継手９と一体的に形成され、圧力測定装置は、膜６の変位を制御するためチャンバ７内のガスの量を調整している電子ユニットに接続される。
【００１５】
下部ハーフシェル３は、圧力ポッド１を血液透析用医療ラインに接続するための入口管状継手１０と出口管状継手１１とが両側に一体的に形成されている。
【００１６】
継手１０，１１の少なくとも１つであって、図示された例として出口継手１１の場合、通常は透析機器に接続される、医療ラインであるダクトの補助雄ルアーロックコネクタを取り付けるため、雌ルアーロックコネクタ１２を備える。
【００１７】
本発明の典型的な特徴によれば、雌コネクタ１２は、比較的硬質の熱可塑性材料で作られた外側管状体１３で形成されており、比較的軟質な熱可塑性材料で作られた内側管状体１４が、同軸上で外側管状体１３に挿入される。雌コネクタ１２の一般的な構成は、同一出願人の欧州特許第０７７５５０１号に記載され、図示されたものと類似であっても良いが、以下に概説される実質的な差異を有する。
【００１８】
外側管状体１３は、一端に雄ルアーロックコネクタを固定するための雄ねじ１５と、他端に一対の並行な操作用放射状フィン１６とが形成され、外側管状体１３の回転が無理なく制御される。内部では、外側管状体１３の回転可能な軸方向保持のため、内側管状体１４の外側環状溝１８に対応して、外側管状体１３に環状のレリーフ（relief）１７が形成されている。
【００１９】
内側管状体１４は、先端部にルアーコーン（luer cone）１９を画定し、内側管状体１４において２０で示される、基端側軸部と、外側管状体１３の基端側軸部２１とによって環状空洞２２を形成し、環状空洞２２の中で下部ハーフシェル３の管状継手１１が嵌合する。このような管状継手１１は、例えば接着によって内側管状体１４の基端部２０に気密な態様で固定されるが、一方で外側管状体１３の基端部２１は、このような管状継手１１上で回転可能である。
【００２０】
この配置は、圧力ポッド１と血液透析ラインのダクトとの間に使用され、回転可能であって同時に屈曲に対して堅固な接続を得る。更に完全な気密封止を保証し、ダクトの不慮の閉塞の危険性がない。
【００２１】
図５に詳細に示すように、環状空洞２２は、カラーまたは内側管状本体１４の中心に近い部分２０の外側環状閉止部２３によって半径方向に画定され、雌コネクタ１２との完全に気密な接続の点で更に効率を高めるように、外側環状閉止部２３に対して管状継手１１の終端部は正面に当接する。
【００２２】
雌コネクタ１２に着脱自在に取り付けられた雄ルアー保護キャップは２４で示されている。保護キャップ２４は、圧力ポッド１が血液透析用医療ラインに接続されているときは、明らかに取り外される。
【００２３】
構成の細部や実施例は、以下の特許請求の範囲に規定された本発明の保護の範囲を逸脱することなく、説明し図示したものに対して、広範囲に変更してもよいことは明らかである。
【図１】
2019510539.tif 000003
【図２】
2019510539.tif 000004
【図３】
2019510539.tif 000005
【図４】
2019510539.tif 000006
【図５】
2019510539.tif 000007
【国際調査報告】
2019510539.tif 000008
2019510539.tif 000009
2019510539.tif 000010